(57)【要約】【課題】初期設定の内容が子供によって勝手に変更されることを防止する。【解決手段】初期設定の設定項目として視聴制限の設定項目を含んで複数の設定項目が設けられ、視聴制限の設定項目において設定された視聴制限レベルに従って再生するコンテンツを制限するとともに、視聴制限レベルの変更にはパスワードの入力を求める（Ｓ１１）構成において、視聴制限レベルが所定レベルより強い制限を示すレベルとなるときには、視聴制限の設定項目を除いた設定項目の設定内容の変更を不能にしている（Ｓ４）。【選択図】  図１
2007180749.tif 000002
【特許請求の範囲】
【請求項１】
初期設定の設定項目として視聴制限の設定項目を含んで複数の設定項目が設けられ、視聴制限の設定項目において設定された視聴制限レベルに従って再生するコンテンツを制限するとともに、視聴制限レベルの変更にはパスワードの入力を求める光ディスク装置において、
視聴制限レベルが所定レベルより強い制限を示すレベルとなるときには、視聴制限の設定項目を除いた設定項目の設定内容の変更を不能にし、
且つ、視聴制限の設定項目を除いた設定項目の変更を不能としたときには、初期設定の設定項目として視聴制限の設定項目のみを表示装置に表示するとともに視聴制限の設定項目を除く設定項目の変更が不能になっていることを示すメッセージを表示装置に表示することを特徴とする光ディスク装置。
【請求項２】
初期設定の設定項目として視聴制限の設定項目を含んで複数の設定項目が設けられ、視聴制限の設定項目において設定された視聴制限レベルに従って再生するコンテンツを制限するとともに、視聴制限レベルの変更にはパスワードの入力を求める光ディスク装置において、
視聴制限レベルが所定レベルより強い制限を示すレベルとなるときには、視聴制限の設定項目を除いた設定項目の設定内容の変更を不能にしたことを特徴とする光ディスク装置。
【請求項３】
視聴制限の設定項目を除いた設定項目の変更を不能としたときには、初期設定の設定項目として視聴制限の設定項目のみを表示装置に表示することを特徴とする請求項２に記載の光ディスク装置。
【請求項４】
初期設定の設定項目として視聴制限の設定項目を含んで複数の設定項目が設けられ、視聴制限の設定項目において設定された視聴制限レベルに従って再生するコンテンツを制限するとともに、視聴制限レベルの変更にはパスワードの入力を求める光ディスク装置において、
設定内容の変更を可能にする設定項目については、視聴制限の設定項目を除く設定項目に関して、視聴制限レベルに対応する制限を設けたことを特徴とする光ディスク装置。
【請求項５】
視聴制限レベルに対応する制限によって設定内容の変更が不能となった設定項目と、設定内容の変更が可能である設定項目とを、互いに識別可能に表示装置に表示することを特徴とする請求項４に記載の光ディスク装置。
【請求項６】
設定内容の変更が不能である設定項目にカーソルを移動させたときには、設定内容の変更が不能となっていることを示すメッセージを表示装置に表示することを特徴とする請求項５に記載の光ディスク装置。
【発明の詳細な説明】
【技術分野】
【０００１】
本発明は、初期設定の設定項目として、視聴制限の設定項目を含んで複数の設定項目が設けられ、視聴制限の設定項目において設定された視聴制限レベルに従い、再生するコンテンツを制限する光ディスク装置に関する。
【背景技術】
【０００２】
ＤＶＤプレイヤ等の光ディスク装置では、初期設定画面（セットアップ画面）を表示させ、所望の設定項目を選択した後、選択した項目の設定内容を変更することで、再生時の音声言語や字幕言語、あるいは、画面サイズや音声出力形式や視聴制限レベル（パレンタルレベル）、等を、ユーザの好みの内容に設定できるようになっている（第１の従来技術とする）。
【０００３】
また、以下に示す技術が提案されている（第２の従来技術とする）。すなわち、この技術では、電子番組ガイドに含まれる視聴年齢に関する情報を用いて、受信者の年齢範囲に対応する番組を検索している。そして、検索された番組からなる番組表を作成し、表示している（例えば、特許文献１参照）。
【０００４】
また、以下に示す技術が提案されている（第３の従来技術とする）。すなわち、この技術は、受信する番組が視聴制限が設定されていない番組であるときにも、受信する側で視聴制限を可能にするための技術となっている。このため、視聴制限を行う番組については、その番組を、チャンネル番号、放送時間帯、ジャンルの組み合わせからなる条件情報として示すようにしている。また、前記条件情報を記憶部に記憶している。そして、受信を行うときでは、受信しようとする番組のチャンネル番号、放送時間帯、ジャンルの組み合わせに一致する条件情報が記憶部に記憶されているかどうかを調べ、記憶されているときでは、受信しようとする番組は視聴制限に該当する番組であるとして、受信を取り止めるようにしている（例えば、特許文献２参照）。
【特許文献１】特開２００２−２７１７１１号公報
【特許文献２】特開２００１−１４５０３３号公報
【発明の開示】
【発明が解決しようとする課題】
【０００５】
しかしながら、第１の従来技術を用いるときには以下に示す問題を生じていた。すなわち、再生時の音声言語や字幕言語、あるいは、画面サイズや音声出力形式等について、大人の知らないうちに、子供が勝手に変更することがある。このため、ＤＶＤを再生したとき、予期していない言語の字幕が表示されたり、予期していない言語の音声が出力されたりするという不都合が生じたり、画面のサイズが予期していたサイズとは異なる、といったような不都合を生じていた。
【０００６】
第２の従来技術は、受信者の年齢範囲に対応する番組表を作成し、表示する技術となっている。このため、第１の従来技術において生じた問題、すなわち、再生時の音声言語や字幕言語、あるいは、画面サイズや音声出力形式が、大人の知らないうちに、子供によって勝手に変更されるという事態の発生を防止する観点からは、適用することが困難な技術となっている。
【０００７】
第３の従来技術は、受信する番組が視聴制限が設定されていない番組であるときにも、受信する側で視聴制限を可能にするための技術となっている。このため、第１の従来技術において生じた問題、すなわち、再生時の音声言語や字幕言語、あるいは、画面サイズや音声出力形式が、大人の知らないうちに、子供によって勝手に変更されるという事態の発生を防止する観点からは、適用することが困難な技術となっている。
【０００８】
本発明は、上記の問題点を解決するため創案されたものであり、その目的は、初期設定の内容が子供によって勝手に変更されることを防止することのでき、且つ、設定内容の変更が不能になっている設定項目の内容を変更しようとする無効な操作が入力されることを防止することのでき、且つ、初期設定の画面に視聴制限の設定項目のみしか表示されないことに対してユーザが戸惑いを感じることを防止することのできる光ディスク装置を提供することにある。
【０００９】
また本発明の目的は、視聴制限レベルが所定レベルより強い制限を示すレベルとなるときには、初期設定の設定項目のうち、視聴制限の設定項目を除いた設定項目の変更を不能とすることにより、初期設定の内容が子供によって勝手に変更されることを防止することのできる光ディスク装置を提供することにある。
【００１０】
また、上記目的に加え、視聴制限の設定項目を除いた設定項目の変更を不能としたときには、初期設定の画面において視聴制限の項目のみを表示することにより、設定内容の変更が不能になっている設定項目の内容を変更しようとする無効な操作が入力されることを防止することのできる光ディスク装置を提供することにある。
【００１１】
また本発明の目的は、設定内容の変更を可能にする設定項目について、視聴制限レベルに対応する制限を設けることにより、初期設定の複数の設定項目のうち、変更されたくない設定項目の内容が子供によって勝手に変更される事態の発生を防止することのできる光ディスク装置を提供することにある。
【００１２】
また、上記目的に加え、設定内容の変更が不能となった設定項目と、変更が可能である設定項目とを、互いに識別可能に表示することにより、設定内容の変更が不能になっている設定項目の内容を変更しようとする無効な操作が入力されることを防止することのできる光ディスク装置を提供することにある。
【００１３】
また、上記目的に加え、設定内容の変更が不能である設定項目にカーソルを移動させたときには、変更が不能となっていることを示すメッセージを表示することにより、設定内容の変更が不能になっている設定項目の内容を変更しようとする無効な操作が入力されることを、より好適に防止することのできる光ディスク装置を提供することにある。
【課題を解決するための手段】
【００１４】
上記の課題を解決するため、本発明に係る光ディスク装置は、初期設定の設定項目として視聴制限の設定項目を含んで複数の設定項目が設けられ、視聴制限の設定項目において設定された視聴制限レベルに従って再生するコンテンツを制限するとともに、視聴制限レベルの変更にはパスワードの入力を求める光ディスク装置に適用している。そして、視聴制限レベルが所定レベルより強い制限を示すレベルとなるときには、視聴制限の設定項目を除いた設定項目の設定内容の変更を不能にし、且つ、視聴制限の設定項目を除いた設定項目の変更を不能としたときには、初期設定の設定項目として視聴制限の設定項目のみを表示装置に表示するとともに視聴制限の設定項目を除く設定項目の変更が不能になっていることを示すメッセージを表示装置に表示するようになっている。
【００１５】
すなわち、視聴制限レベルを、子供に適したレベル（所定レベルより強い制限を示すレベル）に設定すると、視聴制限の設定項目を除いた設定項目が変更される恐れがなくなる。また、視聴制限レベルの変更にはパスワードが必要となるので、視聴制限レベルは変更される恐れがない。また、変更が不能な設定項目は表示されないので、変更不能な設定項目を変更しようとする操作は入力されなくなる。また、視聴制限の設定項目のみしか表示されていない理由がメッセージによって示される。
【００１６】
また本発明に係る光ディスク装置は、初期設定の設定項目として視聴制限の設定項目を含んで複数の設定項目が設けられ、視聴制限の設定項目において設定された視聴制限レベルに従って再生するコンテンツを制限するとともに、視聴制限レベルの変更にはパスワードの入力を求める光ディスク装置に適用している。そして、視聴制限レベルが所定レベルより強い制限を示すレベルとなるときには、視聴制限の設定項目を除いた設定項目の設定内容の変更を不能にしている。
【００１７】
すなわち、視聴制限レベルを、子供に適したレベル（所定レベルより強い制限を示すレベル）に設定すると、視聴制限の設定項目を除いた設定項目が変更される恐れがなくなる。また、視聴制限レベルの変更にはパスワードが必要となるので、視聴制限レベルは変更される恐れがない。
【００１８】
また、上記構成に加え、視聴制限の設定項目を除いた設定項目の変更を不能としたときには、初期設定の設定項目として視聴制限の設定項目のみを表示装置に表示している。すなわち、変更が不能な設定項目は表示されないので、変更不能な設定項目を変更しようとする操作は入力されなくなる。
【００１９】
また本発明に係る光ディスク装置は、初期設定の設定項目として視聴制限の設定項目を含んで複数の設定項目が設けられ、視聴制限の設定項目において設定された視聴制限レベルに従って再生するコンテンツを制限するとともに、視聴制限レベルの変更にはパスワードの入力を求める光ディスク装置に適用している。そして、設定内容の変更を可能にする設定項目については、視聴制限の設定項目を除く設定項目に関して、視聴制限レベルに対応する制限を設けている。
【００２０】
すなわち、視聴制限レベルが子供に適するレベルとなるときには、子供によって設定内容を変えられてもよい設定項目についてのみ設定内容の変更を可能にし、その他の設定項目については変更できないように制限すると、視聴制限レベルを子供に適するレベルに設定したときでは、設定内容を変えられたくない設定項目については、その内容を変更される恐れがなくなる。
【００２１】
また、上記構成に加え、視聴制限レベルに対応する制限によって設定内容の変更が不能となった設定項目と、設定内容の変更が可能である設定項目とを、互いに識別可能に表示装置に表示している。すなわち、どの設定項目が変更が不能な設定項目であるのかが示される。
【００２２】
また、上記構成に加え、設定内容の変更が不能である設定項目にカーソルを移動させたときには、設定内容の変更が不能となっていることを示すメッセージを表示装置に表示している。すなわち、カーソルの位置する設定項目は、変更が不能な設定項目となっていることが示される。
【発明の効果】
【００２３】
本発明によれば、視聴制限レベルを子供に適したレベル（所定レベルより強い制限を示すレベル）に設定すると、視聴制限の設定項目を除いた設定項目が変更される恐れがなくなる。また、視聴制限レベルの変更にはパスワードが必要となるので、視聴制限レベルは変更される恐れがない。また、変更が不能な設定項目は表示されないので、変更不能な設定項目を変更しようとする操作は入力されなくなる。また、視聴制限の設定項目のみしか表示されていない理由がメッセージによって示される。このため、初期設定の内容が子供によって勝手に変更されることを防止することができ、且つ、設定内容の変更が不能になっている設定項目の内容を変更しようとする無効な操作が入力されることを防止することができ、且つ、初期設定の画面に視聴制限の設定項目のみしか表示されないことに対してユーザが戸惑いを感じることを防止することができる。
【００２４】
また本発明によれば、視聴制限レベルを子供に適したレベル（所定レベルより強い制限を示すレベル）に設定すると、視聴制限の設定項目を除いた設定項目が変更される恐れがなくなる。また、視聴制限レベルの変更にはパスワードが必要となるので、視聴制限レベルは変更される恐れがない。このため、初期設定の内容が子供によって勝手に変更されることを防止することができる。
【００２５】
また、さらに、変更が不能な設定項目は表示されないので、変更不能な設定項目を変更しようとする操作は入力されなくなるため、設定内容の変更が不能になっている設定項目の内容を変更しようとする無効な操作が入力されることを防止することができる。
【００２６】
また本発明によれば、視聴制限レベルが子供に適するレベルとなるときには、子供によって設定内容を変えられてもよい設定項目についてのみ、設定内容の変更を可能にし、その他の設定項目については変更できないように制限すると、視聴制限レベルを子供に適するレベルに設定したときでは、設定内容を変えられたくない設定項目については、その内容を変更される恐れがなくなる。また、視聴制限レベルの変更にはパスワードが必要となるので、視聴制限レベルは変更される恐れがない。このため、初期設定の複数の設定項目のうち、変更されたくない設定項目の内容が子供によって勝手に変更される事態の発生を防止することができる。
【００２７】
また、さらに、どの設定項目が変更が不能な設定項目であるのかが示されるので、設定内容の変更が不能になっている設定項目の内容を変更しようとする無効な操作が入力されることを防止することができる。
【００２８】
また、さらに、カーソルの位置する設定項目は、変更が不能な設定項目となっていることが示されるので、設定内容の変更が不能になっている設定項目の内容を変更しようとする無効な操作が入力されることを、より好適に防止することができる。
【発明を実施するための最良の形態】
【００２９】
以下、本発明の実施の形態について図を参照して説明する。
【実施例１】
【００３０】
図２は、本発明に係る光ディスク装置の第１の実施形態であるハードディスクドライブ一体型ＤＶＤレコーダの電気的構成を示すブロック線図である。
【００３１】
図において、チューナ部１は、マイクロコンピュータ（以下ではマイコンと称する）７から指示されたチャンネルの商用放送を受信する。そして、受信して得られたアナログ映像音声信号をＡ／Ｄ変換部２に出力する。Ａ／Ｄ変換部２は、チューナ部１から出力されるアナログ映像音声信号をＡ／Ｄ変換して得られたデジタル映像音声信号を信号処理部３に出力する。
【００３２】
ディスクドライブ部５は、ＤＶＤ（光ディスク）２１を対象として、映像音声情報の記録と再生とを行う。すなわち、信号処理部３より出力される圧縮された映像音声情報（以下では、単に映像音声情報と称する）を所定処理（８−１６変調等）して得られた信号をＤＶＤ２１に記録する。また、ＤＶＤ２１に記録された信号を読み出した後、所定処理（８−１６復調とエラー訂正）して得られた映像音声情報を信号処理部３に出力する。
【００３３】
ハードディスクドライブ（以下では、ＨＤＤと称する）６は、映像音声情報の記録再生を行う。すなわち、信号処理部３より出力される映像音声情報を内部に記録する。また、内部に記録した映像音声情報を再生して信号処理部３に出力する。Ｄ／Ａ変換部４は、信号処理部３より出力される伸長された映像音声情報を、アナログ映像音声信号に変換し、外部に設けられたテレビ受像機（表示装置）２２に出力する。
【００３４】
信号処理部３は、エンコード部９を用いて、Ａ／Ｄ変換部２から出力される映像音声情報をＭＰＥＧ２方式（音声信号についてはＡＣ−３方式）によって圧縮処理した後、ストリーム合成を行うことによって得られた映像音声情報をディスクドライブ部５やＨＤＤ６に出力する。また、ディスクドライブ部５やＨＤＤ６から出力される映像音声情報を、ストリーム分離した後、デコード部１０を用いることによって、映像情報をＭＰＥＧ２方式（音声情報についてはＡＣ−３方式）で伸長処理する。そして、伸長処理により得られた映像音声情報をＤ／Ａ変換部４に出力する。
【００３５】
また、信号処理部３は、マイコン７からの指示に従い、ディスクドライブ部５から出力される映像音声情報をＨＤＤ６に送出する。また、ＨＤＤ６から出力される映像音声情報をディスクドライブ部５に送出する。また、オンスクリーンディスプレイ（以下では、ＯＳＤと称する）１１を用いて、サブピクチャが示す字幕等の情報や、マイコン７から指示された文字等の情報を生成し、Ｄ／Ａ変換部４に出力する映像音声情報に重畳する。
【００３６】
入力回路部８は、図示されない装置本体の前面パネルに設けられた電源キーや録画キー等の複数のキースイッチ、および、リモートコントローラ（以下ではリモコンと称する）２３から送信される赤外線信号を受光する受光ユニット等を備えており、ユーザからの指示が入力される。また、入力されたユーザからの指示をマイコン７に出力する。
【００３７】
マイコン７は、ハードディスクドライブ部一体型ＤＶＤレコーダとしての主要動作を制御する。すなわち、リモコン２３等に入力されたユーザの指示に従って、チューナ部１が受信するチャンネルを制御する。また、信号処理部３とディスクドライブ部５とを制御することにより、ＤＶＤ２１に記録された映像音声情報を再生してテレビ受像機２２に表示する。また、チューナ部１が出力したアナログ映像音声情報を、映像音声情報に変換してＤＶＤ２１に記録する。
【００３８】
また、信号処理部３とＨＤＤ６とを制御することにより、ＨＤＤ６に記録された映像音声情報を再生してテレビ受像機２２に表示する。また、チューナ部１が出力したアナログ映像音声信号を、映像音声情報に変換してＨＤＤ６に記録する。また、信号処理部３、ディスクドライブ部５、および、ＨＤＤ６を制御することによって、ＤＶＤ２１に記録された映像音声情報をＨＤＤ６に転送して記録したり、ＨＤＤ６に記憶された映像音声情報をＤＶＤ２１に転送して記録する。
【００３９】
また、マイコン７は、図３（Ａ）に示したように、ＤＶＤ２１の再生に関連した初期設定の設定項目を一覧表示し、設定項目のそれぞれについて、設定内容の変更を受け付ける。なお、一覧表示される設定項目は、視聴制限の設定項目（パレンタルレベルを設定するための項目）を含んだ６つ（その他の項目数とすることができる）の設定項目となっている。そして、視聴制限の設定項目において設定された視聴制限レベル（パレンタルレベル）に従い、再生するコンテンツを制限する。
【００４０】
すなわち、視聴制限レベルは、レベル『１』〜レベル『８』の範囲において設定可能であり、レベル『１』が最も制限が強く、レベル『８』が制限無しとなる。このため、視聴制限レベルとして、例えば、レベル『３』が設定されているとすると、レベル『４』以上のコンテンツについては、再生しないように制御する。また、レベル『８』が設定されているとすると、全てのコンテンツを再生するように制御する。
【００４１】
また、マイコン７は、設定された視聴制限レベルが、予め設定された所定レベル（例えば、レベル『４』）より強い制限を示すレベル（例えば、レベル『２』）となるときには、視聴制限の設定項目を除いた設定項目の設定内容の変更を不能にする。また、視聴制限の設定項目を除いた設定項目の設定内容の変更を不能としたときには、図３（Ｂ）に示したように、視聴制限の設定項目のみを表示し、その他の設定項目の表示を停止する。また、視聴制限の設定項目を除く設定項目の変更が不能になっていることを示すメッセージ３２をテレビ受像機２２に表示する。
【００４２】
以下に、設定項目についての補足的な説明を行うと、『音声言語』は、再生時の音声の言語（例えば、日本語、あるいは、英語、等）を設定する。『字幕言語』は、再生時に表示される字幕の言語（例えば、日本語、あるいは、英語、等）を設定する。『音声出力』は、出力される音声の種類（２チャンネル、ＤＴＳ、等）を設定する。『画面サイズ』は、映像の縦横の比率（３：４、ワイド、等）を設定する。『全てを初期設定に戻す』は、『全てを初期設定に戻す』を除いた５つの設定項目の設定内容を、工場から出荷されたときの内容に戻すための項目となっている。
【００４３】
図１は、初期設定を行うときの第１の実施形態の主要動作を示すフローチャートである。必要に応じて同図を参照しつつ、実施形態の動作を説明する。
【００４４】
装置の初期設定（セットアップ）の設定内容の変更や確認のため、リモコン２３に設けられたセットアップキー（図示を省略）を押下すると（ステップＳ１）と、マイコン７は、現在の視聴制限レベルが、予め設定された所定レベルであるレベル『４』より小さいかどうかを調べる（ステップＳ２）。視聴制限レベルがレベル『４』より小さいときには、図３（Ｂ）に示したように、視聴制限レベルの変更のための設定項目のみをテレビ受像機２２に表示する（ステップＳ３，Ｓ４）。そして、視聴制限レベルを変更するかどうか（ステップＳ５）と、初期設定を終了するかどうか（ステップＳ６）とを調べるループ動作に移行する。
【００４５】
視聴制限レベルの変更となるときには、パスワードの入力を求める（ステップＳ１１）。入力されたパスワードが、予め入力されたパスワードと一致しないときには、再度、パスワードの入力を求める（ステップＳ１２，Ｓ１１）。入力されたパスワードが、予め入力されたパスワードと一致するときには、視聴制限レベルの変更の受け付けを行う（ステップＳ１２，Ｓ１３）。そして後、動作を、ステップＳ２に移行する。従って、ステップＳ１３において、視聴制限レベルが、例えば、レベル『１』に変更されたとすると、以後では、ステップＳ３，Ｓ４，・・・となる動作が繰り返される。
【００４６】
一方、ステップＳ１３において、視聴制限レベルが、例えば、レベル『８』に変更されたとすると、動作は、ステップＳ２，Ｓ３，Ｓ２１と移行し、テレビ受像機２２には、図３（Ａ）に示したように、全ての設定項目が表示される。そして後、設定内容を変更するかどうか（ステップＳ２２）と、初期設定を終了するかどうか（ステップＳ２３）とを調べるループ動作に移行する。そして、設定内容の変更となるときには、動作を、ステップＳ２２からステップＳ２４に移行する。ステップＳ２４において、６つの設定項目のうちの一部の項目あるいは全項目について、設定内容の変更が行われ、変更が終了したときには、初期設定の動作を終了する。
【００４７】
なお、ステップＳ２２，Ｓ２３のループ動作において、設定内容を変更することなく、終了の指示をリモコン２３に入力したときには、ステップＳ２３から終了へと移行し、初期設定の動作を終了する。
【００４８】
また、ステップＳ１においてセットアップキーを押下したときの視聴制限レベルが、所定レベルであるレベル『４』より大きいときには、動作は、ステップＳ２，Ｓ３，Ｓ２１と移行する。このため、テレビ受像機２２には、図３（Ａ）に示したように、全ての設定項目が表示される。次いで、設定内容を変更するかどうか（ステップＳ２２）と、初期設定を終了するかどうか（ステップＳ２３）とを調べるループ動作に移行する。そして、設定内容の変更であるときには、動作はステップＳ２２からステップＳ２４に移行する。ステップＳ２４において、６つの設定項目のうちの一部の項目あるいは全項目について、設定内容の変更が行われ、変更が終了したときには、初期設定の動作を終了する。
【００４９】
なお、ステップＳ２２，Ｓ２３のループ動作において、設定内容を変更することなく、終了の指示をリモコン２３に入力したときには、ステップＳ２３から終了へと移行し、初期設定の動作を終了する。
【実施例２】
【００５０】
次に、本発明の他の実施例について説明する。
【００５１】
第２の実施形態の電気的構成は、ブロック線図として示すときには、図１に示す構成と同一となる。また、第１の実施形態との構成の差異は、マイコン７の構成のうちの一部となっている。このため、第２の実施形態の電気的構成については、マイコン７の構成のうちで、第１の実施形態と異なる部分についてのみ、説明を行う。
【００５２】
マイコン７は、図４に示したように、ＤＶＤ２１の再生に関連した初期設定の設定項目を一覧表示し、設定項目のそれぞれについて、設定内容の変更を受け付ける。なお、一覧表示される設定項目は、第１の実施形態と同一となっている。
【００５３】
また、マイコン７は、設定内容の変更を可能にする設定項目について、視聴制限レベルに対応する制限を設ける。すなわち、図８に示したように、視聴制限レベルがレベル『１』あるいはレベル『２』となるときには、視聴制限レベルを変更するための設定項目を除いた全ての設定項目の変更を不能にする。また、視聴制限レベルがレベル『３』あるいはレベル『４』となるときには、『字幕言語』、『音声出力』、『画面サイズ』、『全てを初期設定に戻す』の４つの設定項目の変更を不能にする。また、視聴制限レベルがレベル『５』あるいはレベル『６』となるときには、『音声出力』、『画面サイズ』、『全てを初期設定に戻す』の３つの設定項目の変更を不能にする。そして、視聴制限レベルがレベル『７』あるいはレベル『８』となるときには、全ての設定項目の変更を可能にする。
【００５４】
このため、マイコン７は、視聴制限レベルに対応する制限によって設定内容の変更が不能となった設定項目と、設定内容の変更が可能である設定項目とを、互いに識別可能に、テレビ受像機２２に表示する。
【００５５】
詳細には、視聴制限レベルがレベル『１』あるいはレベル『２』であることから、視聴制限レベルを変更するための設定項目を除いた全ての設定項目の変更を不能とする場合では、テレビ受像機２２における表示を、図５（Ａ）に示す表示とする。すなわち、設定項目４１〜４５を、変更が可能である設定項目４６よりも暗く表示することによって、５つの設定項目４１〜４５が、変更が不能となっていることを示す。
【００５６】
また、視聴制限レベルがレベル『３』あるいはレベル『４』であることから、『字幕言語』、『音声出力』、『画面サイズ』、『全てを初期設定に戻す』、の４つの設定項目の変更を不能とする場合では、テレビ受像機２２における表示を、図６（Ａ）に示す表示とする。すなわち、設定項目４２〜４５を、変更が可能である設定項目４１，４６よりも暗く表示することによって、４つの設定項目４２〜４５が、変更が不能となっていることを示す。
【００５７】
また、視聴制限レベルがレベル『５』あるいはレベル『６』であることから、『音声出力』、『画面サイズ』、『全てを初期設定に戻す』、の３つの設定項目の変更を不能にする場合には、テレビ受像機２２における表示を、図７（Ａ）に示す表示とする。すなわち、設定項目４３〜４５を、変更が可能である設定項目４１，４２，４６よりも暗く表示することによって、３つの設定項目４２〜４５が、変更が不能となっていることを示す。
【００５８】
また、マイコン７は、設定内容の変更が不能である設定項目にカーソルを移動させたときには、設定内容の変更が不能となっていることを示すメッセージをテレビ受像機２２に表示する。すなわち、視聴制限レベルがレベル『１』あるいはレベル『２』となっているため、視聴制限レベルを変更するための設定項目を除いた全ての設定項目の変更を不能とした場合において、カーソルが、例えば、図５（Ｂ）に示したように、設定内容の変更が不能である設定項目の『画面サイズ』に移動した場合には、『変更できません』のメッセージ５２ｄを表示する。
【００５９】
図９は、初期設定を行うときの第２の実施形態の主要動作を示すフローチャートである。必要に応じて同図を参照しつつ、実施形態の動作を説明する。
【００６０】
装置の初期設定（セットアップ）の設定内容の変更や確認のため、リモコン２３に設けられたセットアップキー（図示を省略）を押下すると（ステップＳ３１）と、マイコン７は、現在の視聴制限レベルを調べる（ステップＳ３２）。そして、現在の視聴制限レベルに従って、設定内容が変更可能になっている設定項目については明るく表示し、設定内容が変更不能になっている設定項目については暗く表示する（ステップＳ３３）。次いで、設定内容が変更可能になっている設定項目のうち、最も上部に位置する設定項目が選択状態となるようにカーソルを表示する（ステップＳ３４）。
【００６１】
従って、現在の視聴制限レベルがレベル『１』またはレベル『２』であるとすると、テレビ受像機２２においては、図５（Ａ）に示したように、『視聴制限』の設定項目４６のみが明るく表示され、その他の設定項目４１〜４５は暗く表示される。また、『視聴制限』が選択状態となるように、カーソル（破線５１ｃにより示す）が表示される。
【００６２】
視聴制限レベルがレベル『３』またはレベル『４』であるとすると、テレビ受像機２２における表示は、図６（Ａ）に示す表示となり、『音声言語』と『視聴制限』とが変更可能であることが示される。また、『音声言語』が選択状態となるように、カーソル５１ｅが表示される。
【００６３】
視聴制限レベルがレベル『５』またはレベル『６』であるとすると、テレビ受像機２２における表示は、図７（Ａ）に示す表示となり、『音声言語』と『字幕言語』と『視聴制限』とが変更可能であることが示される。また、『音声言語』が選択状態となるように、カーソル５１ｇが表示される。
【００６４】
視聴制限レベルがレベル『７』またはレベル『８』であるとすると、テレビ受像機２２における表示は、図４に示す表示となり、全ての設定項目が変更可能であることが示される。また、『音声言語』が選択状態となるように、カーソル５１ａが表示される。
【００６５】
変更可能な設定項目と変更不能な設定項目とが表示されるとともに、カーソル５１が表示された後には、カーソルの位置する設定項目が変更可能かどうかを調べる。そして、変更可能であるときには、カーソル５１の位置する設定項目を変更するための操作が受け付けされるので、設定内容を所望の内容に変更する（ステップＳ３６，Ｓ３７）。設定内容の変更を終了すると、変更された設定内容が視聴制限レベルであるかどうかを調べる（ステップＳ３８）。
【００６６】
そして、変更された設定内容が視聴制限レベルであるときには、動作を、ステップＳ３９からステップＳ３３に移行し、変更後の視聴制限レベルに基づいて、変更可能な設定項目については明るく表示し、変更不能な設定項目については暗く表示する。そして後には、上記した動作と同様の動作を繰り返する。
【００６７】
一方、ステップＳ３７において変更された設定内容が、視聴制限レベルとは異なる場合、動作は、ステップＳ３９から、カーソル５１が移動したかどうかと、終了の指示が入力されたかどうか、とを調べるループ動作に移行する（ステップＳ４０，Ｓ４１）。
【００６８】
上記したループ動作において、カーソル５１が移動したことが判明した場合には、動作を、ステップＳ４０からステップＳ３５に移行する。そして、移動後のカーソル５１の位置する設定項目が、変更可能な設定項目であるのかどうかを調べる。そして、移動後のカーソル５１の位置する設定項目が変更可能であるときには、動作を、ステップＳ３６からステップＳ３７に移行する。従って、以後では、既に述べた動作と同様の動作が繰り返される。
【００６９】
一方、移動後のカーソル５１の位置する設定項目が、変更不能な設定項目であるときには、動作を、ステップＳ３６からステップＳ４２に移行し、カーソルの位置する設定項目は変更不能であることを示すメッセージを表示する。すなわち、図５（Ａ）に示す表示となった状態において、カーソル５１ｃを、例えば、図５（Ｂ）に示したように、『画面サイズ』の設定項目に移動すると、カーソル５１ｄの横に、『変更できません』のメッセージ５２ｄを表示する。
【００７０】
また、図６（Ａ）に示す表示となった状態において、カーソル５１ｅを、例えば、図６（Ｂ）に示したように、『字幕言語』の設定項目に移動すると、カーソル５１ｆの横に、『変更できません』のメッセージ５２ｆを表示する。また、図７（Ａ）に示す表示となった状態において、カーソル５１ｇを、例えば、図７（Ｂ）に示したように、『全てを初期設定に戻す』の設定項目に移動すると、カーソル５１ｈの横に、『変更できません』のメッセージ５２ｈを表示する。
【００７１】
上記したように、カーソル５１の位置する設定項目が、変更が不能な設定項目である場合には、変更が不能であることを示すメッセージ５２を表示した後、ステップＳ４０，Ｓ４１からなるループ動作に移行する。そして、このループ動作において、終了の指示が入力されたときには、動作をステップＳ４１から終了に移行し、初期設定の動作を終了する。
【００７２】
以下に補足的な説明を行うと、ステップＳ３７における設定内容の変更時、変更する設定項目が『視聴制限』である場合には、パスワードの入力が求められ、入力されたパスワードが、予め入力されたパスワードに一致するときにのみ、視聴制限レベルの変更が受け付けされる。
【００７３】
なお、本発明は上記実施形態に限定されず、第２の実施形態の場合、視聴制限レベルと変更不能にする設定項目との対応関係については、その他の対応関係とすることができる（例えば、『視聴制限』を除く全ての設定項目の変更を不能にするのはレベル『１』の場合のみとし、レベル『２』のときでは『音声言語』と『視聴制限』との２つの設定項目の変更を可能にする、等）。
【００７４】
また、変更不能な設定項目と変更可能な設定項目とを識別可能にする方法として、表示の明るさを異なる方法とした場合について説明したが、その他の方法として、例えば、表示色を異ならせる方法、等とすることができる。
【００７５】
また、ハードディスクドライブ一体型ＤＶＤレコーダに適用した場合について説明したが、その他の光ディスク装置として、例えば、ＤＶＤレコーダ、ＤＶＤプレイヤ、ビデオカセットレコーダ一体型ＤＶＤプレイヤ、等の場合にも、同様に適用することができる。また、ＤＶＤとは異なる光ディスク（例えば、ブルーレイディスクやＨＤ−ＤＶＤ等）を使用する光ディスク装置の場合にも、同様に適用することができる。
【図面の簡単な説明】
【００７６】
【図１】本発明に係る光ディスク装置の第１の実施形態のセットアップ時の主要動作を示すフローチャートである。
【図２】実施形態であるハードディスクドライブ一体型ＤＶＤレコーダの電気的構成を示すブロック線図である。
【図３】視聴制限レベルの差異に対応する表示の差異を示す説明図である。
【図４】視聴制限レベルが７または８であるときのセットアップ画面を示す説明図である。
【図５】視聴制限レベルが１または２であるときのセットアップ画面を示す説明図である。
【図６】視聴制限レベルが３または４であるときのセットアップ画面を示す説明図である。
【図７】視聴制限レベルが５または６であるときのセットアップ画面を示す説明図である。
【図８】視聴制限レベルと設定内容が変更不能な設定項目との対応関係を示す説明図である。
【図９】セットアップ時の第２の実施形態の主要動作を示すフローチャートである。
【符号の説明】
【００７７】
２１  光ディスク
４１〜４６  設定項目
５１  カーソル
５２  変更が不能であることを示すメッセージ
【図１】
2007180749.tif 000003
【図２】
2007180749.tif 000004
【図３】
2007180749.tif 000005
【図４】
2007180749.tif 000006
【図５】
2007180749.tif 000007
【図６】
2007180749.tif 000008
【図７】
2007180749.tif 000009
【図８】
2007180749.tif 000010
【図９】
2007180749.tif 000011